(57)【要約】      （修正有）【課題】冷却ファンの回転軸に対向する部分に位置して有効に機能していないフィンを有効に機能させてフィン全体としての冷却効果を十分に発揮させることのできる電気機器用冷却装置を提供する。【解決手段】電気機器用冷却装置１１は、発熱体２を搭載するベース部３の一面に複数のフィン４を設けたヒートシンク５と、該ヒートシンク５の側方に配置されていてフィン４，４間に冷却風を供給して発熱体２を冷却する冷却ファン６と、を備えている。冷却ファン６の回転軸の中心の延長線上の位置を境にして対向するフィン４を、互いに離間する方向に折り曲げて、フィン間に冷却ファン６の回転軸の外周に見合う間隙を形成した。前記フィン４を、金属板を略く字状に折り曲げることにより形成し、これら略く字状に折り曲げたフィン４を、前記回転軸の中心の延長線上の位置を境にして互いの折り曲げ頂部が離間するように逆向きに取り付けた。【選択図】図１
2010153436.tif 000002
【特許請求の範囲】
【請求項１】
発熱体を搭載するベース部の一面に複数のフィンを設けたヒートシンクと、該ヒートシンクの側方に配置されていて前記フィン間に冷却風を供給して前記ヒートシンクを介して前記発熱体を冷却する冷却ファンと、を備えた電気機器用冷却装置において、
前記冷却ファンの回転軸の中心の延長線上の位置を境にして対向するフィンを、互いに離間する方向に折り曲げて、前記対向するフィン間に前記冷却ファンの回転軸の外周に見合う間隙を形成したことを特徴とする電気機器用冷却装置。
【請求項２】
前記複数のフィンは、金属板を略く字状に折り曲げることにより形成されていて、これら略く字状に折り曲げたフィンを、前記冷却ファンの回転軸の中心の延長線を境にして互いの折り曲げ頂部が離間するように逆向きに取り付けたことを特徴とする請求項１に記載の電気機器用冷却装置。
【発明の詳細な説明】
【技術分野】
【０００１】
本発明は、パーソナルコンピュータのＣＰＵ（中央演算装置）のような発熱体を冷却するヒートシンクを備えた電気機器用冷却装置に関するものである。
【背景技術】
【０００２】
図５，図６に示すように、前記電気機器用冷却装置１として、発熱体２を搭載するベース部３の一面に複数のフィン４を平行に設けたヒートシンク５の側方に冷却ファン６を配置して、該冷却ファン６の回転により前記フィン間に冷却風を供給してヒートシンク５を介して発熱体２を冷却するものが知られている。
【０００３】
図７に示すように、前記冷却ファン６は、モータ７により回転される回転軸８の周囲に放射状に複数の翼片９を取り付けることにより構成されていて、前記モータ７で回転軸８を回転させ、翼片９で風を起こし、該風をフィン４間に供給する。（例えば特許文献１、２）
なお、図８に示すように、フィン４の高さを高くしないで冷却効果を向上させるために、フィン４を略Ｗ字状に折り曲げたものも開発されている。前記フィン４は、金属製の板材で形成されていて、一端部を前記ベース部３に設けた取付溝３ａに挿入して半田付けする等の方法により前記ベース部３に取り付けられている。（例えば特許文献３）
【特許文献１】特開平０５−３２８７４３号公報
【特許文献２】特開平０７−１７６６５３号公報
【特許文献３】実開平０４−１１７４５９号公報
【発明の開示】
【発明が解決しようとする課題】
【０００４】
ところで、前記従来の電気機器用冷却装置１にあっては、図６に示すように、複数のフィン４は、等間隔で平行に配置していたために、図９に示すように、前記回転軸８に対向する部分４Ａ（２点鎖線で示す円内）には冷却風が効果的に供給されない。従って、フィン全体としての冷却効果が減殺されてしまうという問題点があった。
【０００５】
本発明は前記従来の問題点を解決し、前記冷却ファンの回転軸に対向する部分に位置して有効に機能していないフィンを有効に機能させてフィン全体としての冷却効果を十分に発揮させることのできる電気機器用冷却装置を提供することを目的に成されたものである。
【課題を解決するための手段】
【０００６】
請求項１の発明は、発熱体を搭載するベース部の一面に複数のフィンを設けたヒートシンクと、該ヒートシンクの側方に配置されていて前記フィン間に冷却風を供給して前記ヒートシンクを介して前記発熱体を冷却する冷却ファンと、を備えた電気機器用冷却装置において、
前記冷却ファンの回転軸の中心の延長線上の位置を境にして対向するフィンを、互いに離間する方向に折り曲げて、前記対向するフィン間に前記冷却ファンの回転軸の外周に見合う間隙を形成した。
【０００７】
請求項２の発明は、請求項１の電気機器用冷却装置において、前記複数のフィンを、金属板を略く字状に折り曲げることにより形成し、これら略く字状に折り曲げたフィンを、前記冷却ファンの回転軸の中心の延長線を境にして互いの折り曲げ頂部が離間するように逆向きに取り付けた。
【発明の効果】
【０００８】
（１）請求項１の電気機器用冷却装置は、冷却ファンの回転軸に対向し、冷却風が効果的に供給され難い部分からフィンを、前記冷却ファンの回転軸の外周側に逃がしたので、その分、フィン全体の冷却効率を向上させることができる。
（２）請求項２の電気機器用冷却装置は、冷却ファンの回転軸の対向する位置を境にしてフィンを逆向きに取り付けたので、該境界部分のフィンは、前記冷却ファンの回転軸の外周側に偏移した状態になって、その分、フィン全体の冷却効率を向上させることができる。
【発明を実施するための最良の形態】
【０００９】
図１は本発明の電気機器用冷却装置１１を裏返して見た状態を示す斜視図である。電気機器用冷却装置１１の基本的な構成は、前記従来例の電気機器用冷却装置１の構成と略同じである。即ち、電気機器用冷却装置１１は、発熱体２を搭載するベース部３の一面に複数のフィン４を設けたヒートシンク５と、該ヒートシンク５の側方に配置されていて前記フィン４，４間に冷却風を供給し、ヒートシンク５を介して発熱体２を冷却する冷却ファン６と、を備えている。前記冷却ファン６は、図７に示すように、モータ７により回転される回転軸８の周囲に放射状に複数の翼片９を取り付けることにより構成されている。
【００１０】
本発明の電気機器用冷却装置１１と前記従来の電気機器用冷却装置１の主たる相違点は、図１，図２に示すように、前記冷却ファン６の回転軸８の中心の延長位置Ｐを挟んで対向するフィン４を、互いが離間する方向に折り曲げたことにある。
【００１１】
前記複数のフィン４は、金属板を略く字状に折り曲げることにより形成されている。これらのフィン４は、前記冷却ファン６の回転軸８の中心の延長位置Ｐを境にして互いの折り曲げ頂部４ａが離間する方向に逆向きに取り付けられていて、前記冷却ファン６の回転軸８の中心の延長位置Ｐを境にして対向するフィン４間には前記冷却ファン６の回転軸８の外径よりも大きな略菱形の空間部Ｇが形成される。
【００１２】
従って、前記冷却ファン６の回転軸８の前方に位置するフィン４は、前記冷却ファン６の回転軸８の対向部の冷却風の当たり難い位置から、冷却風が当たり易い回転軸８の外周側に偏移して、フィン全体の冷却効率を向上させる。
【００１３】
図３は、冷却ファン６を２個取り付けた電気機器用冷却装置１１に使用するヒートシンク５を示す。この実施例においては、各冷却ファン６の回転軸８が位置する部分毎に前記回転軸８の中心の延長位置Ｐを境にして対向するフィン４間には前記冷却ファン６の回転軸８の外径よりも大きな略菱形の空間部Ｇが形成される。
【００１４】
図４Ａ，Ｂは、フィン４の変形例を示す。図４Ａは、フィン４を略円弧状に湾曲させて形成した場合を示し、図４Ｂは、フィン４を略コ状に折り曲げて形成した場合を示す。なお、フィン４は上記形状のものに限定されず、要は、前記回転軸８の中心の延長位置Ｐを境にして対向するフィン４間には前記冷却ファン６の回転軸８の外径よりも大きな空間部Ｇを形成できる形状であれば良い。
【図面の簡単な説明】
【００１５】
【図１】本発明の電気機器用冷却装置の斜視図。
【図２】要部の説明図。
【図３】他の実施例の説明図。
【図４】Ａはフィンの変形例の説明図、Ｂはフィンの他の変形例の説明図、
【図５】従来の電気機器用冷却装置の斜視図。
【図６】従来の電気機器用冷却装置を裏返して見た常態の斜視図。
【図７】冷却ファンの説明図。
【図８】フィンを略Ｗ字状に折り曲げたヒートシンクの説明図。
【図９】従来例の問題点を示す説明図。
【符号の説明】
【００１６】
１，１１…電気機器用冷却装置
２…発熱体
３…ベース部
４…冷却フィン
５…ヒートシンク
６…冷却ファン
７…モータ
８…回転軸
９…翼片
【図１】
2010153436.tif 000003
【図２】
2010153436.tif 000004
【図３】
2010153436.tif 000005
【図４】
2010153436.tif 000006
【図５】
2010153436.tif 000007
【図６】
2010153436.tif 000008
【図７】
2010153436.tif 000009
【図８】
2010153436.tif 000010
【図９】
2010153436.tif 000011